(57)【要約】【課題】  手間をかけることなく効率的に、要介護者の要望に合致した看護及び介護サービス毎にサービス提供機関を割り当てた介護計画を作成することができる看護・介護計画作成支援方法を提供することである。【解決手段】  上記の課題を解決するため、本発明は、要介護者ごとの実施すべき看護及び介護サービスに関する情報及び要望事項情報を含む要介護情報を格納した要介護者データベースから、処理対象の要介護者情報を抽出し、抽出された要介護者情報で特定される看護及び介護サービスが実施可能で、要介護者情報で特定される要望事項を満たすサービス提供機関が提供可能な看護及び介護サービス情報を含むサービス提供機関情報を格納したサービス提供機関データベースから抽出し、要介護者に該サービス提供機関を割り当てた看護・介護計画を作成する構成とされる。【選択図】  図１
2005078420.tif 000002
【特許請求の範囲】
【請求項１】
看護・介護計画作成支援システムによる看護・介護計画作成支援方法であって、
要介護者ごとの実施すべき看護及び介護サービスに関する情報及び要望事項情報を含む要介護情報を格納した要介護者データベースから、処理対象となる要介護者の要介護者情報を抽出する第一の抽出ステップと、
前記第一の抽出ステップにおいて抽出された前記要介護者情報で特定される看護及び介護サービスを実施可能であり、かつ該要介護者情報で特定される要望事項を満たすサービス提供機関を、サービス提供機関ごとの提供可能な看護及び介護サービス情報を含むサービス提供機関情報を格納したサービス提供機関データベースから抽出する第二の抽出ステップと、
前記要介護者に該サービス提供機関を割り当てた看護・介護計画を作成する計画作成ステップと、
を含むことを特徴とする看護・介護計画作成支援方法。
【請求項２】
看護・介護計画作成支援システムによる看護・介護計画作成方法であって、
要介護者ごとの実施すべき看護及び介護サービスに関する情報を含む要介護者情報を格納した要介護者データベースから、処理対象となる要介護者の要介護者情報を抽出する第一の抽出ステップと、
前記第一の抽出ステップにおいて抽出された前記要介護者情報で特定される看護及び介護サービスを実施可能であり、かつ前記要介護者の要介護度に応じた距離範囲内に存在するサービス提供機関を、サービス提供機関ごとの提供可能な看護及び介護サービス情報を含むサービス提供機関情報を格納したサービス提供期間データベースから抽出する第二の抽出ステップと、
前記要介護者に該サービス提供機関を割り当てた看護・介護計画を作成する計画作成ステップと、
を含むことを特徴とする看護・介護計画作成支援方法。
【請求項３】
要介護者ごとの実施すべき看護及び介護サービスに関する情報及び要望事項情報を含む要介護者情報を格納した要介護者データベースと、
サービス提供機関ごとの提供可能な看護及び介護サービス情報を含むサービス提供機関情報を格納したサービス提供機関データベースと、
前記要介護者データベースから、処理対象となる要介護者の要介護者情報を抽出する第一の抽出手段と、
前記第一の抽出手段において抽出された前記要介護者情報で特定される看護及び介護サービスを実施可能であり、かつ該要介護者情報で特定される要望事項を満たすサービス提供機関を、前記サービス提供機関データベースから抽出する第二の抽出手段と、
前記要介護者に該サービス提供機関を割り当てた看護・介護計画を作成する計画作成手段と、
を備えることを特徴とする看護・介護計画作成支援システム。
【発明の詳細な説明】
【技術分野】
【０００１】
本発明は看護・介護計画作成支援方法及び看護・介護計画作成支援システムに係り、特に、看護及び介護を必要とする要介護者の要望に合致する看護及び介護サービスの提供を行う介護計画の作成を支援する看護・介護計画作成支援方法及び看護・介護計画作成支援システムに関する。
【背景技術】
【０００２】
近年、病気や怪我をした人、または老人など介護を必要とする要介護者に対して、介護保険制度により介護計画が介護支援専門員により作成され、その要介護者に看護及び介護サービスが提供される。具体的には、入院している患者である要介護者が病院（又は診療所）を退院し、要介護者の自宅へ在宅サービス（看護及び介護サービス）を受けるような場合、医師は介護支援専門員に対して、それまで要介護者に対して行われていた症状及び経過情報を提供し、介護支援専門員は介護計画を作成する。作成された介護計画に基づいて、介護サービスを提供するサービス提供機関のそれぞれが各要介護者に応じた介護サービスを提供する。
【０００３】
この介護計画を作成する仕組みとして、介護カルテデータベースに予め登録されている要介護者の状態情報と、介護資源管理データベースに予め登録されているサービス提供機関の受入情報とを参照し、要介護者の状態とサービス提供機関の受入能力とに適合した適切な介護計画を効率的に作成するという従来技術が存在する（例えば、特許文献１）。
【特許文献１】特開２０００−３４０４号公報
【発明の開示】
【発明が解決しようとする課題】
【０００４】
しかしながら、従来技術におけるシステムが世間一般に普及していないのが現状であり、介護支援専門員が介護計画を作成するまでに、医師が蓄積している要介護者の症状情報や経過情報を手書きで紙媒体に記載し、介護支援専門員がその紙媒体に記載された情報に基づいて介護計画を作成するため、非常に手間がかかると共に、介護支援専門員の主観で作成されるため、要介護者の要望を必ずしも反映させることができないという問題点があった。
【０００５】
また、従来技術での介護計画の作成においては、各サービス提供機関の空きスケジュールを考慮して介護計画を作成しているため、要介護者の要望に応じるサービスを提供できない場合がある。例えば、要介護者が在宅介護を受けているのであれば、連絡をしてすぐに自宅へ来ることができる自宅近辺のサービス提供機関によりサービスを受けたい、要介護者が女性であれば、女性スタッフのいるサービス提供機関によりサービスを受けたいという要介護者の要望を満たすことが難しいという問題点があった。
【０００６】
また、従来では一人の要介護者に対して複数のサービスを提供することが多く、また、一人の要介護者に関する情報を効率的に伝達することを考慮して、一人の要介護者の複数のサービスを一つのサービス提供機関が受け持つことがほとんどであるが、サービス提供機関のスケジュール調整などを行うのが難しく、従って、介護計画を作成するのに手間がかかってしまうという問題点があった。更に、サービス提供機関によっては複数のサービスのうち得手、不得手があり、サービス提供機関側の負担となると共に、要介護者が満足するサービスを提供できないという問題点があった。
【０００７】
そこで、本発明の課題は、手間をかけることなく効率的に、要介護者の要望に合致した看護及び介護サービス毎にサービス提供機関を割り当てた介護計画を作成することができる看護・介護計画作成支援方法を提供することである。
【課題を解決するための手段】
【０００８】
上記の課題を解決するため、本発明は、看護・介護計画作成支援システムによる看護・介護計画作成支援方法であって、要介護者ごとの実施すべき看護及び介護サービスに関する情報及び要望事項情報を含む要介護情報を格納した要介護者データベースから、処理対象となる要介護者の要介護者情報を抽出する第一の抽出ステップと、前記第一の抽出ステップにおいて抽出された前記要介護者情報で特定される看護及び介護サービスを実施可能であり、かつ該要介護者情報で特定される要望事項を満たすサービス提供機関を、サービス提供機関ごとの提供可能な看護及び介護サービス情報を含むサービス提供機関情報を格納したサービス提供機関データベースから抽出する第二の抽出ステップと、前記要介護者に該サービス提供機関を割り当てた看護・介護計画を作成する計画作成ステップと、を含む構成とされる。
【０００９】
このような看護・介護計画作成支援方法において、要介護者ごとの実施すべき看護及び介護サービスに関する情報及び要望事項情報を含む要介護情報を格納した要介護者データベースから、処理対象となる要介護者の要介護者情報を抽出し、第一の抽出ステップにおいて抽出された要介護者情報で特定される看護及び介護サービスを実施可能であり、要介護者情報で特定される要望事項を満たすサービス提供機関を、サービス提供機関ごとの提供可能な看護及び介護サービス情報を含むサービス提供機関情報を格納したサービス提供機関データベースから抽出し、要介護者に該サービス提供機関を割り当てた看護・介護計画を作成することにより、手間をかけることなく効率的に、要介護者の要望に合致した看護及び介護サービス毎にサービス提供機関を割り当てた介護計画を作成することができる。
【００１０】
また、上記課題を解決するため、本発明は、上記看護・介護計画作成支援方法による処理を実行するための看護・介護計画作成支援システム、及びそのシステムにおいてコンピュータに行なわせるためのプログラム及びそのプログラムを記録した記録媒体とすることもできる。
【発明の効果】
【００１１】
このような看護・介護計画作成支援方法及び看護・介護計画作成支援システムでは、手間をかけることなく効率的に、要介護者の要望に合致した看護及び介護サービス毎にサービス提供機関を割り当てた介護計画を作成することができる。
【発明を実施するための最良の形態】
【００１２】
以下、本発明の実施の形態を図面に基づいて説明する。図１は、本発明の第１実施例に係る看護・介護計画作成支援方法におけるシステム構成図である。図１において、看護・介護計画作成支援方法における看護・介護計画作成支援システム１は、看護を必要とする要介護者に看護及び介護サービスを提供するための看護・介護計画の作成を支援する看護・介護計画作成支援センタ１０と、要介護者が所有し、看護・介護サービスを受けるための登録や看護・介護サービスの確認を行う要介護者端末２０と、病院に設置され、医師などにより要介護者に対する看護・介護サービス（クリティカルパス情報）を設定する病院端末３０と、看護・介護サービスを提供するサービス提供機関に設置され、提供する看護・介護サービスに関する情報を登録するサービス提供機関端末４０等で構成されるシステムである要介護者端末２０、病院端末３０、サービス提供機関端末４０は、パーソナルコンピュータ（ＰＣ）等の複数の端末で構成されている。また、複数の要介護者端末２０、病院端末３０、サービス提供機関端末４０と、看護・介護計画作成支援センタ１０は、インターネットなどのネットワーク２を介して接続されている。尚、上記クリティカルパス情報は、予め看護・介護サービスに関する情報（又は看護・介護サービスの組み合わせ）が設定されたもので、このクリティカルパス情報に基づいて看護・介護計画が効率的に作成されると共に、要介護者の要望と合致した看護・介護計画であるか否かの判断に使用される。
【００１３】
図１において、看護・介護計画作成支援センタ１０はサーバコンピュータであって、ＣＰＵ（中央処理装置）によって各構成が制御される。ＣＰＵは、メモリユニットに格納されたプログラムに従って看護・介護計画作成支援方法での処理を行う。このプログラムは、本発明の一実施例に係る看護・介護計画作成支援方法を実現するためのプログラムが記録された記録媒体５０からインストーラ（図示せず）により読み出され、その読み出されたプログラムは、例えば、補助記憶装置等にインストールされる。そして、後述される看護・介護計画作成支援方法における処理が起動されると、補助記憶装置にインストールされた当該プログラムに従って、ＣＰＵがその処理を開始する。尚、記録媒体５０は、ＣＤ−ＲＯＭなどプログラムが格納可能であり、コンピュータが読み取り可能な媒体であればよい。
【００１４】
この看護・介護計画作成支援センタ１０は、主に、看護・介護計画を作成する看護・介護計画作成処理部１１と、要介護者毎のクリティカルパス情報を設定するクリティカルパス情報設定処理部１２と、サービス提供機関端末４０からの看護・介護サービスに関する情報を設定するサービス設定処理部１３と、要介護者端末２０からの要介護者及び看護・介護サービスに関する情報を設定する要介護者情報設定処理部１４と、設定された看護・介護サービスが要介護者の要望と合致するか否かを判断する要望チェック処理部１５と、要介護者情報が格納された要介護者データベース（ＤＢ）１００と、サービス提供機関により提供される看護・介護サービスに関するサービス情報が格納されたサービス提供機関ＤＢ１１０と、予め看護・介護サービスに関するクリティカルパス情報が格納されたクリティカルパスＤＢ１２０とを有する。尚、要介護者ＤＢ１００に格納されたテーブルについては図２で、サービス提供機関ＤＢ１１０に格納されたテーブルについては図３で、クリティカルパスＤＢ１２０に格納されたテーブルについては図４で詳細に説明する。尚、サービス情報管理手順及びサービス情報管理手段は、図１に示すサービス提供機関ＤＢ１１０に対応する。
【００１５】
看護・介護計画作成処理部１１は、要介護者ＤＢ１００に格納された要介護者情報と、サービス提供機関ＤＢ１１０に格納されたサービス情報と、クリティカルパスＤＢ１２０に格納された情報とに基づいて、所定の要介護者毎に看護・介護計画を作成する。作成された看護・介護計画は、要介護者ＤＢ１００に格納される。この看護・介護計画作成処理については、図８で詳細に説明する。尚、看護・介護計画を要介護者ＤＢ１００に格納するだけでなく、他のＤＢを設けて看護・介護計画を格納、管理するようにしてもよい。例えば、看護・介護計画を要介護者端末２０、病院端末３０毎に、必要に応じた情報を管理するようにしてもよい。
【００１６】
クリティカルパス情報設定処理部１２は、病院端末３０から提供された要介護者毎のクリティカルパス情報をクリティカルパスＤＢ１２０に格納する。このクリティカルパス情報設定処理については、図５で詳細に説明する。また、サービス設定処理部１３は、サービス提供機関端末４０から提供されたサービス提供機関端末４０からの看護・介護サービスに関する情報をサービス提供機関ＤＢ１１０に格納する。このサービス設定処理については、図６で詳細に説明する。
【００１７】
要介護者情報設定処理部１４は、要介護者端末２０から提供された要介護者自身の情報や要望する看護・介護サービスに関する情報などを含む情報を要介護者ＤＢ１００に格納する。この要介護者情報設定処理については、図７で詳細に説明する。
【００１８】
要望チェック処理部１５は、看護・介護計画作成処理部１１によって作成された看護・介護計画が、要介護者ＤＢ１００に格納された要介護者情報と合致するか、即ち、要介護者の要望と合致するか否かを判断する。この要望チェック処理については、図９で詳細に説明する。また、要望チェック処理部１５は、要介護者ＤＢ１００に格納された要介護者情報に基づいて、自動で要介護者の要望を設定することも可能である。この点について第２実施例で詳細に説明する。
【００１９】
また、看護・介護計画作成支援センタ１０へ、要介護者端末２０又は病院端末３０からの表示要望があった場合、要介護者ＤＢ１００に格納された要介護者情報を要介護者端末２０又は病院端末３０に提供し、看護・介護計画として表示させることも可能である。この場合の画面表示例を図１３で詳細に説明する。
【００２０】
このように、要介護者ＤＢ１００に格納された要介護者情報と、サービス提供機関ＤＢ１１０に格納された看護・介護サービスに関する情報とに基づいて、要介護者の看護及び介護サービス毎に、看護及び介護サービスを提供するサービス提供機関を割り当てた看護・介護計画を作成することにより、手間をかけることなく効率的に看護・介護計画を作成することができると共に、要介護者の要望に合致した看護及び介護サービスを提供するサービス提供機関を割り当てることができる。
【００２１】
次に、要介護者ＤＢ１００に格納されるテーブルについて説明する。図２は、要介護者ＤＢに格納されるテーブルを示す図である。図２に示すテーブル１０１は、看護・介護計画作成処理部１１により看護・介護計画が作成された後の要介護者情報を示している。テーブル１０１には、要介護者を識別する要介護者ＩＤを示す項目と、要介護者の氏名を示す項目と、要介護者の住所を示す項目と、要介護者の介護度を示す項目と、看護・介護計画作成処理部１１により看護・介護サービスを示す項目と、サービス名を示す項目と、医師により設定されたクリティカルパスを示す項目と、サービス提供機関端末４０の希望場所を示す項目と、看護・介護サービスの費用を示す項目と、看護・介護サービスの希望曜日を示す項目と、看護・介護サービスの希望頻度を示す項目と、スタッフの希望性別を示す項目と、看護・介護サービスの希望時間を示す項目とが格納されている。尚、テーブル１０１のサービスＩＤ項目は、看護・介護計画作成処理部１１により割り振られたサービスＩＤであり、更に、クリティカルパス情報設定処理部１２により病院端末３０によりクリティカルパスＩＤが設定される。その他の項目は、看護・要介護者情報設定処理部１４により要介護者端末２０からの要望に応じて登録された要介護者情報である。
【００２２】
このようなテーブル１０１を用いることにより、看護・介護計画を効率的に作成することができ、要介護者端末２０又は病院端末３０からの表示要望があった場合、このテーブル１０１に格納された要介護者情報を提供し、表示させることができる。
【００２３】
次に、サービス提供機関ＤＢ１１０に格納されるテーブルについて説明する。図３は、サービス提供機関ＤＢに格納されるテーブルを示す図である。図３に示すテーブル１１１は、サービス提供機関端末４０から提供されたサービス情報に基づいてサービス設定処理部１３によりサービス提供機関ＤＢ１１０に格納されるサービス情報を示している。テーブル１１１には、サービスを識別するサービスＩＤを示す項目と、サービス名を示す項目と、サービス提供機関名を示す項目と、サービス機関の住所を示す項目と、サービスを行なうスタッフの性別を示す項目と、サービスの費用を示す項目と、サービス提供が可能な曜日を示す項目と、サービス提供が可能な時間を示す項目とが格納されている。このテーブル１１１に基づいて、看護・介護計画作成処理部１１は要介護者の要望に応じたサービスの提供が可能なサービス提供機関４０を割り当てた看護・介護計画を作成することができる。
【００２４】
次に、クリティカルパスＤＢ１２０に予め格納されるテーブルについて説明する。図４は、クリティカルパスＤＢに格納されるテーブルを示す図である。図４に示すテーブル１２１は、要介護者毎に割り当てるサービスの判断基準を示すクリティカルパス情報を示している。テーブル１２１には、クリティカルパスを識別するクリティカルパスＩＤを示す項目と、サービスを識別するサービスＩＤを示す項目と、サービス名を示す項目と、サービスに関する備考情報、例えば、サービスを行なう頻度を示す項目とが格納されている。このクリティカルパス情報を示すテーブル１２１に基づいて、クリティカルパス情報設定処理部１２は、要介護者毎に提供するサービスのクリティカルパス情報を設定し、要介護者ＤＢ１００に格納される要介護者情報と、サービス提供機関ＤＢ１１０に格納されるサービス情報とを関連付けて効率的に管理し、看護・介護計画作成支援センタ１０の資源を有効活用することができる。
【００２５】
次に、クリティカルパス情報設定処理部１２における処理について詳細に説明する。図５は、クリティカルパス情報設定処理のフローチャートを示す図である。図５において、先ず、ステップＳ２０の処理で、クリティカルパス情報設定処理部１２は、病院端末３０から情報を受信する。ステップＳ２１の処理で、クリティカルパス情報設定処理部１２は、病院端末３０から受信した情報の患者（要介護者）氏名及び性別などに基づいて、要介護者ＤＢ１００に格納された要介護者情報を検索する。ステップＳ２２の処理で、クリティカルパス情報設定処理部１２は、検索された要介護者氏名、性別等要介護者情報を病院端末３０に表示させて入力を促す。ステップＳ２３の処理で、クリティカルパス情報設定処理部１２は、検索された要介護者に対してクリティカルパスを割り当てた情報を病院端末３０から受信し、クリティカルパスＤＢ１２０に格納されたクリティカルパス情報に基づいて、要介護者ＤＢ１００に格納された所定の要介護者のクリティカルパスを設定する。
【００２６】
次に、サービス設定処理部１３における処理について詳細に説明する。図６は、サービス設定処理のフローチャートを示す図である。図６において、先ず、ステップＳ３０の処理で、サービス設定処理部１３は、サービス提供機関端末４０からサービス情報を受信する。ステップＳ３１の処理で、サービス設定処理部１３は、受信したサービス情報毎のサービス内容をサービス提供機関ＤＢ１１０に設定する。
【００２７】
次に、要介護者情報設定処理部１４における処理について詳細に説明する。図７は、要介護者情報設定処理のフローチャートを示す図である。図７において、先ず、ステップＳ４０の処理で、要介護者情報設定処理部１４は、要介護者端末２０からサービス提供要望を受信する。ステップＳ４１の処理で、要介護者情報設定処理部１４は、要介護者ＤＢ１００に登録された要介護者であるか否か認証処理を行う。ステップＳ４２の処理で、要介護者情報設定処理部１４は、要介護者ＤＢ１００に格納された要介護者情報のクリティカルパスＩＤに基づいて、クリティカルパスＤＢ１２０を検索する。ステップＳ４３の処理で、要介護者情報設定処理部１４は、その要介護者に対して必要なサービス内容を要介護者端末２０に表示させる。ステップＳ４４の処理で、要介護者情報設定処理部１４は、要介護者端末２０から各サービスに対して希望する性別、時間等の要介護者情報の設定を受信し、要介護者ＤＢ１００に格納する。
【００２８】
次に、看護・介護計画作成処理部１１における処理について詳細に説明する。図８は、看護・介護計画作成処理のフローチャートを示す図である。図８において、先ず、ステップＳ５０の処理で、看護・介護計画作成処理部１１は、要介護者ＤＢ１００に格納された要介護者情報の検索を最後まで行なったか否かを判断する。ステップＳ５０の処理で、要介護者情報の検索を最後まで行なっていない場合、ステップＳ５１の処理で、看護・介護計画作成処理部１１は、要介護者ＤＢ１００から次に対象となる要介護者のレコードを読み込む。ステップＳ５２の処理で、看護・介護計画作成処理部１１は、サービスＩＤに基づいてサービス提供機関ＤＢ１１０を検索する。ステップＳ５３の処理で、看護・介護計画作成処理部１１は、要介護者ＤＢ１００から次に対象となる要介護者のレコードが無いか否かを判断する。ステップＳ５３の処理で、要介護者ＤＢ１００から次に対象となる要介護者のレコードがある場合、ステップＳ５０からの処理を繰り返す。ステップＳ５３の処理で、要介護者ＤＢ１００から次に対象となる要介護者のレコードが無い場合、ステップＳ５４の処理で、要望チェック処理部１５は、検索したサービス情報が要介護者の要望と合致するかを判断する要望チェック処理を行ない、ステップＳ５０からの処理を繰り返す。
ステップＳ５０の処理で、要介護者情報の検索を最後まで行なった場合、ステップＳ５５の処理で、看護・介護計画作成処理部１１は、看護・介護計画を編集し、要介護者ＤＢ１００に格納する。ステップＳ５６の処理で、看護・介護計画作成処理部１１は、要介護者端末２０又は病院端末３０から表示要望がある場合、要介護者端末２０又は病院端末３０に看護・介護計画を表示させる。
【００２９】
このように、要介護者毎にサービスＩＤに基づいてサービス提供機関ＤＢ１１０を検索し、看護・介護計画を生成することにより、要介護者の要望に応じたサービスを提供するサービス提供機関を割り当てた看護・介護計画を効率的に作成することができる。また、要介護者端末２０又は病院端末３０から表示要望がある場合、要介護者端末２０又は病院端末３０に看護・介護計画を表示させることができる。尚、サービス提供機関端末４０に、看護・介護計画に基づいてサービスを提供する要介護者の情報等を表示させることも可能である。
【００３０】
次に、要望チェック処理部１５における処理について詳細に説明する。図９は、要望チェック処理のフローチャートを示す図である。図９において、先ず、ステップＳ６０の処理で、要望チェック処理部１５は、サービス提供機関のスタッフの性別を検索する。ステップＳ６１の処理で、要望チェック処理部１５は、サービス提供機関のスタッフの性別が要介護者の要望と合致するか否かを判断する。ステップＳ６１の処理で、スタッフの性別が要介護者の要望と合致しない場合、要望チェック処理を終了する。ステップＳ６１の処理で、スタッフの性別が要介護者の要望と合致する場合、ステップＳ６２の処理で、要望チェック処理部１５は、サービス提供機関の所在地と要介護者の自宅との距離を検索する。ステップＳ６３の処理で、要望チェック処理部１５は、サービス提供機関の所在地と要介護者の自宅との距離が要介護者の要望と合致するか否かを判断する。ステップＳ６３の処理で、要介護者の要望と合致しない場合、要望チェック処理を終了する。ステップＳ６３の処理で、要介護者の要望と合致する場合、ステップＳ６４の処理で、要望チェック処理部１５は、サービスの費用を検索する。ステップＳ６５の処理で、要望チェック処理部１５は、サービスの費用が要介護者の要望と合致するか否かを判断する。
【００３１】
ステップＳ６５の処理で、サービスの費用が要介護者の要望と合致しない場合、要望チェック処理を終了する。ステップＳ６５の処理で、サービスの費用が要介護者の要望と合致する場合、ステップＳ６６の処理で、要望チェック処理部１５は、サービスを提供する曜日を検索する。ステップＳ６７の処理で、要望チェック処理部１５は、サービスを提供する曜日が要介護者の要望と合致するか否かを判断する。ステップＳ６７の処理で、サービスを提供する曜日が要介護者の要望と合致しない場合、要望チェック処理を終了する。ステップＳ６７の処理で、サービスを提供する曜日が要介護者の要望と合致する場合、ステップＳ６８の処理で、要望チェック処理部１５は、サービスを提供する時間を検索する。ステップＳ６９の処理で、要望チェック処理部１５は、サービスを提供する時間が要介護者の要望と合致するか否かを判断する。ステップＳ６９の処理で、サービスを提供する時間が要介護者の要望と合致しない場合、要望チェック処理を終了する。スステップＳ６９の処理で、サービスを提供する時間が要介護者の要望と合致する場合、ステップＳ７０の処理で、要望チェック処理部１５は、レコードを退避して検索を終了する。
【００３２】
このように、要望チェック処理部１５により、看護・介護計画作成処理部１１により設定された看護・介護計画を要介護者の要望と合致するか否かを判断することにより、要介護者の要望に合致するサービスを提供するサービス提供機関を割り当てた適確な看護・介護計画を作成することができる。
【００３３】
次に、要介護者情報設定処理部１４により提供され、要介護者端末２０で表示される入力画面について説明する。図１０は、要介護者端末に表示される入力画面を示す図である。図１０において、画面２００は、要介護者端末２０からの登録要望に応じて看護・介護計画作成支援センタ１０の要介護者情報設定処理部１４により提供される画面例を示している。画面２００には、要介護者を識別する要介護者ＩＤを表示する表示部２０１と、要介護者の氏名を表示する表示部２０２と、入力時点の月（７月度）を示す表示部２０３と、サービスに関する要望を入力する入力域２０４と、看護・介護計画作成支援センタ１０へ入力域２０４に入力した情報の登録を行う登録ボタン２０５と、入力画面を終了する終了ボタン２０６とが表示される。入力域２０４には、要介護者に設定されたサービス名、希望スタッフ性別、希望曜日、希望時間、希望頻度、希望地域の入力域が表示される。例えば、要介護者は入力域２０４へサービス名「訪問入浴」に対して、希望スタッフ性別「男」、希望時間「１３：００」、希望頻度「週１回」、希望地域「近地」の要望を入力し、登録ボタン２０５を選択すると、看護・介護計画作成支援センタ１０へ入力された登録情報が提供される。看護・介護計画作成支援センタ１０の要介護者情報設定処理部１４は、提供された入力情報を要介護者ＤＢ１００に格納する。このように、要介護者情報設定処理部１４から要介護者端末２０にサービスに対する要望を設定する入力画面を提供することにより、要介護者自身でサービスに対する要望を設定することができる。
【００３４】
次に、サービス設定処理部１３により提供され、サービス提供機関端末４０に表示される画面について説明する。図１１は、サービス提供機関端末に表示される画面を示す図である。図１１において、画面４００は、サービス提供機関端末４０からの登録要望に応じて看護・介護計画作成支援センタ１０のサービス設定処理部１３により提供される画面例を示している。画面４００には、サービス提供機関名「ＡＡＡステーション」を表示する表示部４０１と、画面表示時点の月（７月度）を示す表示部４０２と、サービスに関する情報を入力する入力域４０３と、看護・介護計画作成支援センタ１０へ入力域４０３に入力した情報の登録を行う登録ボタン４０４と、画面を終了する終了ボタン４０５とが表示される。入力域４０３には、サービス提供機関「ＡＡＡステーション」が提供するサービス名、提供スタッフ性別、提供曜日、提供時間、提供費用が表示される。例えば、サービス提供機関の関係者は、入力域４０３へサービス名「訪問入浴」に対して、提供スタッフ性別「男、女」、提供曜日「月・火・水」、提供時間「９：００」、費用「２０００」等を入力し、登録ボタン４０４を選択すると、看護・介護計画作成支援センタ１０へ入力された登録情報が提供される。看護・介護計画作成支援センタ１０のサービス設定処理部１３は、提供された登録情報をサービス提供機関ＤＢ１１０に格納する。このように、サービス情報設定処理部１３からサービス提供機関端末４０にサービス情報を登録する画面を提供することにより、複数のサービス提供機関からのサービス情報をサービス提供機関ＤＢ１１０で管理することができる。
【００３５】
次に、看護・介護計画作成処理部１１により提供され、要介護者端末２０に表示される看護・介護計画表示画面について説明する。図１２は、要看護者端末に表示される看護・介護計画表示画面を示す図である。図１２において、画面５００は、要介護者端末２０又は病院端末３０からの表示要望に応じて看護・介護計画作成支援センタ１０の看護・介護計画作成処理部１１により提供される看護・介護計画の画面例を示している。画面５００には、要介護者を識別する要介護者ＩＤを表示する表示部５０１と、要介護者の氏名を表示する表示部５０２と、表示時点の月（７月度）を示す表示部５０３と、看護・介護計画を表示する表示域５０４と、画面を終了する終了ボタン５０５とが表示される。表示域５０４には、要介護者に設定されたサービス名、サービスを提供するサービス提供機関名と、サービスが提供される日付に対する時刻とが表示される。例えば、要介護者端末２０又は病院端末３０から表示要望されると、看護・介護計画作成処理部１１は要介護者ＤＢ１００に格納された要介護者情報に基づいて、所定の要介護者に対する看護・介護計画の画面を要介護者端末２０又は病院端末３０に提供して画面５００を表示させる。このように、看護・介護計画作成処理部１１は要介護者端末２０又は病院端末３０に看護・介護計画の画面を提供することにより、要介護者又は医師は要介護者毎に設定されたサービス内容を確認することができる。
【００３６】
次に、本発明の第２実施例の看護・介護計画作成支援方法について説明する。尚、第２実施例は第１実施例と要介護者に提供するサービスの要望（条件）を自動で設定して看護・介護計画を作成する点で異なるため、以下に相違する処理及び画面について説明する。図１３は、本発明の第２実施例に係る要望チェック処理のフローチャートを示す図である。図１３に示すフローチャートは、図８のステップＳ５４の要望チェック処理を示している。先ず、ステップＳ７５の処理で、要望チェック処理部１５は、要介護者ＤＢ１００に格納された要介護者情報に基づいて、希望性別を要介護者性別に設定する。ステップＳ７６の処理で、要望チェック処理部１５は、要介護者性別がスタッフの性別と一致するか否かを判断する。ステップＳ７６の処理で、要介護者性別がスタッフの性別と一致する場合、ステップＳ７７の処理で、要望チェック処理部１５は、サービス提供機関の所在地と要介護者の自宅との距離チェック処理を行う。ステップＳ７６の処理で、要介護者性別がスタッフの性別と一致しない場合、要望チェック処理を終了したものとして図８に示すステップＳ５０からの処理を行う。このように、要望チェック処理部１５は、希望性別を要介護者性別に設定することにより、自動で要介護者に合致するサービスを割り当てる条件を設定することができる。
【００３７】
次に、図１３のステップＳ７７の距離チェック処理について詳細に説明する。図１４は、距離チェック処理のフローチャートを示す図である。図１４において、ステップＳ８０の処理で、要望チェック処理部１５は、要介護者ＤＢ１００に格納された要介護者情報に基づいて、要介護度が５又は４であるか否かを判断する。ステップＳ８０の処理で、要介護度が５又は４である場合、ステップＳ８１の処理で、要望チェック処理部１５は、希望場所を近地に設定する。ステップＳ８２の処理で、要望チェック処理部１５は、設定した希望場所と割り当てられたサービス提供機関の所在地が一致するか否かを判断する。ステップＳ８２の処理で、設定した希望場所と割り当てられたサービス提供機関の所在地が一致する場合、距離チェック処理を終了する。ステップＳ８２の処理で、設定した希望場所と割り当てられたサービス提供機関の所在地が一致しない場合、要望チェック処理を終了したものとして図８のステップＳ５０からの処理を行う。
【００３８】
ステップＳ８０の処理で、要介護度が５又は４でない場合、ステップＳ８３の処理で、要望チェック処理部１５は、要介護度が３であるか否かを判断する。ステップＳ８３の処理で、要介護度が３である場合、ステップＳ８４の処理で、要望チェック処理部１５は、希望場所を近地に設定し、ステップＳ８２の処理を行う。ステップＳ８３の処理で、要介護度が３でない場合、ステップＳ８５の処理で、要望チェック処理部１５は、要介護度が１又は２であるか否かを判断する。ステップＳ８５の処理で、要介護度が１又は２である場合、ステップＳ８６の処理で、要望チェック処理部１５は、希望場所不問に設定し、ステップＳ８２の処理を行う。
【００３９】
このように、要介護者ＤＢ１０に格納された要介護度に基づいて、サービス提供機関の所在地と要介護者の自宅との距離を設定することにより、要介護者の要望に合致するサービスを提供するサービス提供機関を割り当てた適確な看護・介護計画を作成することができる。
【００４０】
次に、第２実施例における要介護者端末２０で表示される入力画面について説明する。図１５は、要介護者端末に表示される入力画面を示す図である。図１５において、画面２１０は、要介護者端末２０からの登録要望に応じて看護・介護計画作成支援センタ１０の要介護者情報設定処理部１４により提供される画面例を示している。画面２１０には、要介護者を識別する要介護者ＩＤを表示する表示部２１１と、要介護者の氏名を表示する表示部２１２と、入力時点の月（７月度）を示す表示部２１３と、サービスに関する要望を入力する入力域２１４と、看護・介護計画作成支援センタ１０へ入力域２１４に入力した情報の登録を行う登録ボタン２１５と、入力画面を終了する終了ボタン２１６とが表示される。入力域２１４には、要介護者に設定されたサービス名、希望曜日、希望時間、希望頻度の入力域が表示される。例えば、要介護者は入力域２１４へサービス名「訪問入浴」、希望曜日「木」、希望時間「１３：００」、希望頻度「週１回」の要望を入力し、登録ボタン２１５を選択すると、看護・介護計画作成支援センタ１０へ入力された登録情報が提供される。看護・介護計画作成支援センタ１０の要介護者情報設定処理部１４は、提供された入力情報を要介護者ＤＢ１００に格納する。このように、要介護者から最小限の入力情報を設定するだけで、自動で要介護者に合致するサービスを割り当てる条件を設定することができる。
【００４１】
従って、本発明の看護・介護計画作成支援方法において、要介護者ごとの実施すべき看護及び介護サービスに関する情報及び要望事項情報を含む要介護者情報を格納した要介護者ＤＢ１００から、処理対象となる要介護者の要介護者情報を抽出し、抽出された要介護者情報で特定される看護及び介護サービスを実施可能であり、要介護者情報で特定される要望事項を満たすサービス提供機関を、サービス提供機関ごとの提供可能な看護及び介護サービス情報を含むサービス提供機関情報を格納したサービス提供機関ＤＢ１１０から抽出し、要介護者に該サービス提供機関を割り当てた看護・介護計画を作成することにより、
手間をかけることなく効率的に、要介護者の要望に合致した看護及び介護サービス毎にサービス提供機関を割り当てた介護計画を作成することができる。
（付記１）  看護・介護計画作成支援システムによる看護・介護計画作成支援方法であって、
要介護者ごとの実施すべき看護及び介護サービスに関する情報及び要望事項情報を含む要介護者情報を格納した要介護者データベースから、処理対象となる要介護者の要介護者情報を抽出する第一の抽出ステップと、
前記第一の抽出ステップにおいて抽出された前記要介護者情報で特定される看護及び介護サービスを実施可能であり、かつ該要介護者情報で特定される要望事項を満たすサービス提供機関を、サービス提供機関ごとの提供可能な看護及び介護サービス情報を含むサービス提供機関情報を格納したサービス提供機関データベースから抽出する第二の抽出ステップと、
前記要介護者に該サービス提供機関を割り当てた看護・介護計画を作成する計画作成ステップと、
を含むことを特徴とする看護・介護計画作成支援方法。
（付記２）  前記要望事項情報は、サービス提供機関スタッフの性別を含むことを特徴とする付記１記載の看護・介護計画作成支援方法。
（付記３）  前記要望事項情報は、サービス提供機関の所在地と要介護者の自宅との距離を含むことを特徴とする付記１記載の看護・介護計画作成支援方法。
（付記４）  看護・介護計画作成支援システムによる看護・介護計画作成方法であって、
要介護者ごとの実施すべき看護及び介護サービスに関する情報を含む要介護者情報を格納した要介護者データベースから、処理対象となる要介護者の要介護者情報を抽出する第一の抽出ステップと、
前記第一の抽出ステップにおいて抽出された前記要介護者情報で特定される看護及び介護サービスを実施可能であり、かつ前記要介護者の要介護度に応じた距離範囲内に存在するサービス提供機関を、サービス提供機関ごとの提供可能な看護及び介護サービス情報を含むサービス提供機関情報を格納したサービス提供期間データベースから抽出する第二の抽出ステップと、
前記要介護者に該サービス提供機関を割り当てた看護・介護計画を作成する計画作成ステップと、
を含むことを特徴とする看護・介護計画作成支援方法。
（付記５）  要介護者ごとの実施すべき看護及び介護サービスに関する情報及び要望事項情報を含む要介護者情報を格納した要介護者データベースと、
サービス提供機関ごとの提供可能な看護及び介護サービス情報を含むサービス提供機関情報を格納したサービス提供機関データベースと、
前記要介護者データベースから、処理対象となる要介護者の要介護者情報を抽出する第一の抽出手段と、
前記第一の抽出手段において抽出された前記要介護者情報で特定される看護及び介護サービスを実施可能であり、かつ該要介護者情報で特定される要望事項を満たすサービス提供機関を、前記サービス提供機関データベースから抽出する第二の抽出手段と、
前記要介護者に該サービス提供機関を割り当てた看護・介護計画を作成する計画作成手段と、
を備えることを特徴とする看護・介護計画作成支援システム。
【図面の簡単な説明】
【００４２】
【図１】本発明の第１実施例に係る看護・介護計画作成支援方法におけるシステム構成図である。
【図２】要介護者ＤＢに格納されるテーブルを示す図である。
【図３】サービス提供機関ＤＢに格納されるテーブルを示す図である。
【図４】クリティカルパスＤＢに格納されるテーブルを示す図である。
【図５】クリティカルパス情報設定処理のフローチャートを示す図である。
【図６】サービス設定処理のフローチャートを示す図である。
【図７】要介護者情報設定処理のフローチャートを示す図である。
【図８】看護・介護計画作成処理のフローチャートを示す図である。
【図９】要望チェック処理のフローチャートを示す図である。
【図１０】要介護者端末に表示される入力画面を示す図である。
【図１１】サービス提供機関端末に表示される画面を示す図である。
【図１２】要介護者端末に表示される看護・介護計画表示画面を示す図である。
【図１３】本発明の第２実施例に係る要望チェック処理のフローチャートを示す図である。
【図１４】距離チェック処理のフローチャートを示す図である。
【図１５】要介護者端末に表示される看護・介護計画表示画面を示す図である。
【符号の説明】
【００４３】
１        看護・介護計画作成支援システム
２        ネットワーク
１０      看護・介護計画作成支援センタ
１１      看護・介護計画作成処理部
１２      クリティカルパス情報設定処理部
１３      サービス設定処理部
１４      要介護者情報設定処理部
１５      要望チェック処理部
２０      要介護者端末
３０      病院端末
４０      サービス提供機関端末
５０      記録媒体
１００    要介護者ＤＢ
１１０    サービス提供機関ＤＢ
１２０    クリティカルパスＤＢ
【図１】
2005078420.tif 000003
【図２】
2005078420.tif 000004
【図３】
2005078420.tif 000005
【図４】
2005078420.tif 000006
【図５】
2005078420.tif 000007
【図６】
2005078420.tif 000008
【図７】
2005078420.tif 000009
【図８】
2005078420.tif 000010
【図９】
2005078420.tif 000011
【図１０】
2005078420.tif 000012
【図１１】
2005078420.tif 000013
【図１２】
2005078420.tif 000014
【図１３】
2005078420.tif 000015
【図１４】
2005078420.tif 000016
【図１５】
2005078420.tif 000017